(57)【要約】【課題】  セキュリティを向上させつつ、利用者の所望する情報を絶えず取得することが可能となる情報配信システムを提供する。【解決手段】  携帯端末（１３０）が、情報を取得する情報配信端末（１２０）の条件をサーバ（１１０）に登録し、サーバ（１１０）が、複数の情報配信端末（１２０）の情報の中から、携帯端末（１３０）が登録した条件と一致する情報配信端末（１２０）の情報を取得し、その条件と一致する情報配信端末（１２０）との接続に必要な接続情報を生成し携帯端末（１３０）に送信する。また、サーバ（１１０）は、携帯端末（１３０）が登録した条件と一致する情報配信端末（１２０）に対して、携帯端末（１３０）との接続に必要な接続情報を送信する。そして、情報配信端末（１２０）はサーバ（１１０）から受信した接続情報を基に、携帯端末（１３０）とのみ自動的にブルートゥース接続を行い、携帯端末（１３０）に情報を提供する。【選択図】  図２
2005197880.tif 000002
【特許請求の範囲】
【請求項１】
移動体と、前記移動体に情報を提供する複数の情報配信端末と、前記移動体と前記情報配信端末とに情報を提供するサーバと、を有する情報配信システムであって、
前記移動体は、
前記情報を取得する前記情報配信端末の条件を前記サーバに登録する手段と、
前記情報配信端末との接続に必要な接続情報を前記サーバから受信する手段と、
前記サーバから受信した前記接続情報を基に前記情報配信端末とブルートゥース接続を行い、前記情報を取得する手段と、
を有し、
前記サーバは、
前記移動体に情報を提供する複数の情報配信端末の情報を格納する情報配信端末データベースと、
前記情報配信端末データベースの中から、前記移動体から登録された前記情報配信端末の条件と一致する情報配信端末の情報を取得し、前記条件と一致する情報配信端末との接続に必要な接続情報を生成し、該生成した接続情報を前記移動体に送信する手段と、
前記移動体から登録された前記情報配信端末の条件と一致する情報配信端末に対し、前記移動体との接続に必要な接続情報を送信する手段と、
を有し、
前記情報配信端末は、
前記サーバから受信した前記接続情報を基に、前記サーバから前記接続情報を受信した前記移動体とのみブルートゥース接続を行い、前記移動体に情報を提供する手段を有することを特徴とする情報配信システム。
【請求項２】
前記サーバは、
前記情報配信端末の条件を登録した前記移動体の情報と、前記移動体との接続に必要な接続情報とを、前記条件と一致する情報配信端末名に関連付けて格納する情報データベースを有することを特徴とする請求項１記載の情報配信システム。
【請求項３】
前記サーバは、
前記情報を提供する複数の情報配信端末の情報を前記移動体に提供する手段を有し、
前記移動体は、
前記サーバが提供する複数の情報配信端末の情報を基に、前記情報を取得する前記情報配信端末の条件を前記サーバに登録することを特徴とする請求項１記載の情報配信システム。
【請求項４】
前記情報配信端末は、
前記接続情報を基に、前記接続情報を受信した前記移動体とのみ自動的にブルートゥース接続を行い、前記移動体に情報を提供し、前記移動体が前記情報を取得することを特徴とする請求項１記載の情報配信システム。
【請求項５】
前記情報配信端末が前記サーバから受信した前記接続情報には、ブルートゥース接続を行う前記移動体のブルートゥースアドレスと、前記サーバが任意に作成したピンコードと、が少なくとも含まれており、
前記移動体が前記サーバから受信した前記接続情報には、ブルートゥース接続を行う前記情報配信端末のブルートゥースアドレスと、前記サーバが任意に作成したピンコードと、が少なくとも含まれており、
前記情報配信端末は、
前記情報配信端末の保持する情報配信端末ブルートゥースアドレスと、前記移動体のブルートゥースアドレスと、前記サーバが任意に作成したピンコードと、の少なくとも１つを用いて前記移動体とのブルートゥース接続を行う手段を有し、前記移動体に前記情報を提供し、
前記移動体は、
前記移動体の保持する移動体ブルートゥースアドレスと、前記情報配信端末のブルートゥースアドレスと、前記サーバが任意に作成したピンコードと、の少なくとも１つを用いて前記情報配信端末とのブルートゥース接続を行う手段を有し、前記情報を取得することを特徴とする請求項１または４記載の情報配信システム。
【請求項６】
前記情報配信端末は、
前記情報配信端末の保持する情報配信端末ブルートゥースアドレスを前記移動体に送信する手段と、
前記情報配信端末ブルートゥースアドレスを送信した前記移動体から前記移動体の保持する移動体ブルートゥースアドレスを受信した際に、該受信した移動体ブルートゥースアドレスが、前記接続情報に含まれているか否かを判定し、前記接続情報に含まれていると判定した場合に、前記移動体とのブルートゥース接続を行うための接続認証要求を前記移動体に送信する手段と、
前記接続認証要求を送信した前記移動体からピンコードを受信した際に、該受信したピンコードが前記接続情報に含まれるピンコードと一致した場合に、前記移動体とのブルートゥース認証を行う手段と、を有し、前記移動体に前記情報を提供し、
前記移動体は、
前記情報配信端末から前記情報配信端末の保持する情報配信端末ブルートゥースアドレスを受信した際に、該受信した情報配信端末ブルートゥースアドレスが前記接続情報に含まれているか否かを判定し、該受信した情報配信端末ブルートゥースアドレスが前記接続情報に含まれていると判定した場合に、前記移動体の保持する移動体ブルートゥースアドレスを前記情報配信端末に送信する手段と、
前記移動体ブルートゥースアドレスを送信した前記情報配信端末から前記接続認証要求を受信した際に、前記接続情報に含まれるピンコードを前記情報配信端末に送信する手段と、
前記ピンコードを送信した前記情報配信端末とブルートゥース認証を行う手段と、を有し、前記情報を取得することを特徴とする請求項５記載の情報配信システム。
【請求項７】
前記情報配信端末は、
前記移動体とのブルートゥース認証を行った際に、リンクキーを生成し、該生成したリンクキーを前記接続情報と共に格納する接続データベースを有し、
前記移動体は、
前記情報配信端末とのブルートゥース認証を行った際に、リンクキーを生成し、該生成したリンクキーを前記接続情報と共に格納する接続データベースを有することを特徴とする請求項６記載の情報配信システム。
【請求項８】
移動体と、前記移動体に情報を提供する複数の情報配信端末と、前記移動体と前記情報配信端末とに情報を提供するサーバと、を有する情報配信システムにおける情報配信方法であって、
前記移動体が、前記情報を取得する情報配信端末の条件を前記サーバに登録する工程と、
前記サーバが、前記移動体に情報を提供する複数の情報配信端末の情報を格納する情報配信端末データベースの中から、前記移動体から登録された前記情報配信端末の条件と一致する情報配信端末の情報を取得し、前記条件と一致する情報配信端末との接続に必要な接続情報を生成し、該生成した接続情報を前記移動体に送信する工程と、
前記移動体が、前記情報配信端末との接続に必要な接続情報を前記サーバから受信する工程と、
前記サーバが、前記移動体から登録された情報配信端末の条件と一致する情報配信端末に対し前記移動体との接続に必要な接続情報を送信する工程と、
前記情報配信端末が、前記接続情報を前記サーバから受信し、該受信した接続情報を基に、前記サーバから前記接続情報を受信した前記移動体とのみブルートゥース接続を行い、前記移動体に情報を提供する工程と、
を行うことを特徴とする情報配信方法。
【請求項９】
前記サーバが、前記情報配信端末の条件を登録した前記移動体の情報と、前記移動体との接続に必要な接続情報とを、前記条件と一致する情報配信端末名に関連付けて前記サーバの具備する情報データベースに格納する工程を行うことを特徴とする請求項８記載の情報配信方法。
【請求項１０】
前記サーバが、前記情報を提供する複数の情報配信端末の情報を前記移動体に提供する工程を行い、
前記移動体が、前記サーバが提供する複数の情報配信端末の情報を基に、前記情報を取得する情報配信端末の条件を前記サーバに登録する工程を行うことを特徴とする請求項８記載の情報配信方法。
【請求項１１】
前記情報配信端末が、前記接続情報を基に、前記接続情報を受信した前記移動体とのみ自動的にブルートゥース接続を行い、前記移動体に情報を提供することを特徴とする請求項８記載の情報配信方法。
【請求項１２】
前記情報配信端末が前記サーバから受信した前記接続情報には、ブルートゥース接続を行う前記移動体のブルートゥースアドレスと、前記サーバが任意に作成したピンコードと、が少なくとも含まれており、また、前記移動体が前記サーバから受信した前記接続情報には、ブルートゥース接続を行う前記情報配信端末のブルートゥースアドレスと、前記サーバが任意に作成したピンコードと、が少なくとも含まれており、
前記情報配信端末が、前記情報配信端末の保持する情報配信端末ブルートゥースアドレスを前記移動体に送信する工程と、
前記移動体が、前記情報配信端末の保持する情報配信端末ブルートゥースアドレスを前記情報配信端末から受信した際に、該受信した情報配信端末ブルートゥースアドレスが前記接続情報に含まれているか否かを判定し、該受信した情報配信端末ブルートゥースアドレスが前記接続情報に含まれていると判定した場合に、前記移動体の保持する移動体ブルートゥースアドレスを前記情報配信端末に送信する工程と、
前記情報配信端末が、前記移動体の保持する移動体ブルートゥースアドレスを前記移動体から受信した際に、該受信した移動体ブルートゥースアドレスが、前記接続情報に含まれているか否かを判定し、前記接続情報に含まれていると判定した場合に、前記移動体とのブルートゥース接続を行うための接続認証要求を前記移動体に送信する工程と、
前記移動体が、前記接続認証要求を前記情報配信端末から受信した際に、前記接続情報に含まれるピンコードを前記情報配信端末に送信する工程と、
前記情報配信端末が、前記ピンコードを前記移動体から受信した際に、該受信したピンコードが前記接続情報に含まれるピンコードと一致した場合に、前記移動体とのブルートゥース認証を行い前記移動体に前記情報を提供する工程と、
を行うことを特徴とする請求項８または１１記載の情報配信方法。
【請求項１３】
前記情報配信端末が、前記移動体とのブルートゥース認証を行った際に、リンクキーを生成し、該生成したリンクキーを前記接続情報と共に前記情報配信端末の具備する接続データベースに格納する工程と、
前記移動体が、前記情報配信端末とのブルートゥース認証を行った際に、リンクキーを生成し、該生成したリンクキーを前記接続情報と共に前記移動体の具備する接続データベースに格納する工程と、
を行うことを特徴とする請求項１２記載の情報配信方法。
【請求項１４】
情報を提供する情報配信端末とブルートゥース接続を行い、前記情報を取得する移動体であって、
前記情報を取得する情報配信端末の条件を、ネットワークを介して接続されたサーバに登録する手段と、
前記条件と一致する情報配信端末との接続に必要な接続情報を前記サーバから受信する手段と、
前記サーバから受信した前記接続情報と一致する前記情報配信端末から自動的にブルートゥース接続が行われ、前記情報を前記情報配信端末から取得する手段と、
を有することを特徴とする移動体。
【請求項１５】
前記サーバから受信した前記接続情報には、ブルートゥース接続を行う前記情報配信端末のブルートゥースアドレスと、前記サーバが任意に作成したピンコードと、が少なくとも含まれており、
前記移動体は、
前記情報配信端末から前記情報配信端末の保持する情報配信端末ブルートゥースアドレスを受信した際に、該受信した情報配信端末ブルートゥースアドレスが前記接続情報に含まれているか否かを判定し、該受信した情報配信端末ブルートゥースアドレスが前記接続情報に含まれていると判定した場合に、前記移動体の保持する移動体ブルートゥースアドレスを前記情報配信端末に送信する手段と、
前記移動体ブルートゥースアドレスを送信した前記情報配信端末から、前記移動体とのブルートゥース接続を行うための認証要求を受信した際に、前記接続情報に含まれるピンコードを前記情報配信端末に送信する手段と、
前記ピンコードを送信した前記情報配信端末とブルートゥース認証を行う手段と、
を有し、前記情報を前記情報配信端末から取得することを特徴とする請求項１４記載の移動体。
【請求項１６】
前記情報配信端末とのブルートゥース認証を行った際に、リンクキーを生成し、該生成したリンクキーを前記接続情報と共に前記移動体の具備する接続データベースに格納することを特徴とする請求項１５記載の移動体。
【請求項１７】
移動体と、前記移動体に情報を提供する複数の情報配信端末と、に接続情報を提供するサーバであって、
前記移動体から前記情報を取得する前記情報配信端末の条件が登録された際に、前記複数の情報配信端末の情報を格納する情報配信端末データベースの中から、前記移動体から登録された前記情報配信端末の条件と一致する情報配信端末の情報を取得し、前記条件と一致する情報配信端末とのブルートゥース接続に必要な接続情報を生成し、該生成した接続情報を前記移動体に送信する手段と、
前記移動体から登録された情報配信端末の条件と一致する情報配信端末に対し、前記移動体とのブルートゥース接続に必要な接続情報を送信する手段と、
を有することを特徴とするサーバ。
【請求項１８】
前記情報配信端末の条件を登録した前記移動体の情報と、前記移動体とのブルートゥース接続に必要な接続情報とを、前記条件と一致する情報配信端末名に関連付けて格納する情報データベースを有することを特徴とする請求項１７記載のサーバ。
【請求項１９】
前記移動体に情報を提供する複数の情報配信端末の情報を前記移動体に提供する手段を有し、
前記移動体から前記情報を取得する前記情報配信端末の条件が登録されることを特徴とする請求項１７記載のサーバ。
【請求項２０】
前記情報配信端末に送信した前記接続情報には、ブルートゥース接続を行う前記移動体のブルートゥースアドレスと、前記サーバが任意に作成したピンコードと、が少なくとも含まれており、
前記移動体に送信した前記接続情報には、ブルートゥース接続を行う前記情報配信端末のブルートゥースアドレスと、前記サーバが任意に作成したピンコードと、が少なくとも含まれていることを特徴とする請求項１７記載のサーバ。
【請求項２１】
移動体に情報を提供する複数の情報配信端末であって、
前記移動体に情報を提供する複数の情報配信端末の情報を格納する情報配信端末データベースの中から、前記移動体から登録された情報配信端末の条件と一致する情報配信端末の情報を取得し、前記条件と一致する情報配信端末との接続に必要な接続情報を生成し、該生成した接続情報を送信した前記移動体との接続に必要な接続情報を前記サーバから取得する手段と、
前記サーバから取得した前記接続情報を基に、前記接続情報を受信した移動体とのみブルートゥース接続を行い、前記移動体に情報を提供する手段と、
を有することを特徴とする情報配信端末。
【請求項２２】
前記サーバから取得した前記接続情報を基に、前記接続情報を受信した前記移動体とのみ自動的にブルートゥース接続を行い、前記移動体に情報を提供することを特徴とする請求項２１記載の情報配信端末。
【請求項２３】
前記サーバから取得した前記接続情報には、ブルートゥース接続を行う前記移動体のブルートゥースアドレスと、前記サーバが任意に作成したピンコードと、が少なくとも含まれており、
前記情報配信端末は、
前記情報配信端末の保持する情報配信端末ブルートゥースアドレスを前記移動体に送信する手段と、
前記情報配信端末ブルートゥースアドレスを送信した前記移動体から前記移動体の保持する移動体ブルートゥースアドレスを受信した際に、該受信した移動体ブルートゥースアドレスが、前記接続情報に含まれているか否かを判定し、前記接続情報に含まれていると判定した場合に、前記移動体とブルートゥース接続を行うための接続認証要求を前記移動体に送信する手段と、
前記接続認証要求を送信した前記移動体からピンコードを受信した際に、該受信したピンコードが前記接続情報に含まれるピンコードと一致した場合に、前記移動体とのブルートゥース認証を行う手段と、を有し、前記移動体に前記情報を提供することを特徴とする請求項２１または２２記載の情報配信端末。
【請求項２４】
前記移動体とのブルートゥース認証を行った際に、リンクキーを生成し、該生成したリンクキーを前記接続情報と共に格納する接続データベースを有することを特徴とする請求項２３記載の情報配信端末。
【発明の詳細な説明】
【技術分野】
【０００１】
本発明は、近距離無線方式、特に、ブルートゥース（Ｂｌｕｅｔｏｏｔｈ）を使用する携帯端末を利用した情報配信システム、情報配信方法、その情報配信システム及び情報配信方法に用いる移動体、サーバ及び情報配信端末に関し、特に、利用者のニーズに応じた情報を、高いセキュリティを確保しつつ、尚且つ、利用者の負担なく情報を携帯端末に配信する情報配信システム、情報配信方法、その情報配信システム及び情報配信方法に用いる移動体、サーバ及び情報配信端末に関するものである。
【背景技術】
【０００２】
近年、無線通信による情報配信サービスが発達しており、この無線通信方式として、たとえば、ブルートゥースがある。このブルートゥースは、予めＰＩＮ（Ｐｅｒｓｏｎａｌ  Ｉｄｅｎｔｉｆｉｃａｔｉｏｎ  Ｎｕｍｂｅｒ）コードによる認証処理を行い、端末間の通信を許可するものである。しかしながら、ブルートゥースを用いた情報配信システムは以下のような問題を抱えていた。
【０００３】
第１の問題点は、情報配信側が利用者を特定出来ず、また、利用者のニーズを確認する手段を具備していないため、情報配信側から利用者に対して一方的に情報を配信せざるを得ないという問題である。このため、利用者側は、利用者側の所望する情報を必ずしも情報配信側から受け得ることが出来なかった。
【０００４】
第２の問題点は、利用者側は、利用者の所望する情報を取得するための情報配信端末を特定する手段を具備していないため、一旦、全ての情報配信端末とブルートゥース接続をした上で、利用者の所望する情報配信端末を選択しなければならず、操作上の煩わしさがあるばかりか、利用者の意図していない情報配信端末と接続してしまうというセキュリティ上の問題があるとういう点である。
【０００５】
このように、従来のブルートゥースを用いた情報配信システムは、情報配信側が利用者を特定出来ないために垂れ流し型の情報配信を利用者側に行っており、利用者側は利用者のニーズに応じた情報を情報配信側から受け取ることが困難であり、また、利用者側は情報配信側からの情報を入手するためには、不特定の情報配信側からの接続要求を受け入れざるを得ず、セキュリティの面で問題があるばかりか、多数の接続要求があった場合には利用者側の所望する情報配信側の端末の選別を行う手間を必要とするなど、利用者側の負担が問題となっていた。
【０００６】
なお、本発明より先に出願された技術文献として、情報提供側が、条件にあった移動体に対して、該移動体が訪問する前から訪問を促すためのメッセージを送ることを可能とするものがある（例えば、特許文献１参照）。
【０００７】
上記特許文献１は、複数の移動体と、複数の情報提供端末と、情報センタと、を有して構成された移動体向け情報提供システムにおいて、情報センタは、移動体の情報を記録した移動体情報データベースと、情報提供側が所望する移動体の必要条件を記録した必要条件データベースと、を用いて情報提供側が必要とする移動体を判定し、情報提供側にとって必要であると判定された移動体の情報を情報提供端末に送信する。そして、情報提供端末は、送信された移動体の情報を表示部に表示すると共に、送信された移動体の情報を利用してメッセージを作成し、移動体に対して送信する。そして、移動体は、情報提供端末から送信されたメッセージを自己の表示部に表示することで、情報提供者が必要とする移動体に対してのみ情報を送信し、表示することを特徴とするものである。
【特許文献１】特開２００１−１０３００３号公報
【発明の開示】
【発明が解決しようとする課題】
【０００８】
しかしながら、上記特許文献１は、情報センタ側から送信された移動体の情報を利用してメッセージを作成し、その作成したメッセージを移動体に送信することで、情報提供者側が必要とする移動体に対してのみ情報を送信することから、移動体側は、情報提供者側が作成するメッセージによっては、移動体側の所望する情報が送信されてくるとは限らないことになる。
【０００９】
本発明は上記事情に鑑みてなされたものであり、セキュリティを向上させつつ、利用者の所望する情報を絶えず取得することが可能となる情報配信システム、情報配信方法、移動体、サーバ及び情報配信端末を提供することを目的とするものである。
【課題を解決するための手段】
【００１０】
かかる目的を達成するために本発明は以下の特徴を有することとする。
【００１１】
本発明にかかる情報配信システムは、移動体と、移動体に情報を提供する複数の情報配信端末と、移動体と情報配信端末とに情報を提供するサーバと、を有する情報配信システムであって、移動体は、情報を取得する情報配信端末の条件をサーバに登録する手段と、情報配信端末との接続に必要な接続情報をサーバから受信する手段と、サーバから受信した接続情報を基に情報配信端末とブルートゥース接続を行い、情報を取得する手段と、を有し、サーバは、移動体に情報を提供する複数の情報配信端末の情報を格納する情報配信端末データベースと、情報配信端末データベースの中から、移動体から登録された情報配信端末の条件と一致する情報配信端末の情報を取得し、条件と一致する情報配信端末との接続に必要な接続情報を生成し、該生成した接続情報を移動体に送信する手段と、移動体から登録された情報配信端末の条件と一致する情報配信端末に対し、移動体との接続に必要な接続情報を送信する手段と、を有し、情報配信端末は、サーバから受信した接続情報を基に、サーバから接続情報を受信した移動体とのみブルートゥース接続を行い、移動体に情報を提供する手段を有することを特徴とするものである。
【００１２】
また、本発明にかかる情報配信システムは、サーバは、情報配信端末の条件を登録した移動体の情報と、移動体との接続に必要な接続情報とを、条件と一致する情報配信端末名に関連付けて格納する情報データベースを有することを特徴とするものである。
【００１３】
また、本発明にかかる情報配信システムは、サーバは、情報を提供する複数の情報配信端末の情報を移動体に提供する手段を有し、移動体は、サーバが提供する複数の情報配信端末の情報を基に、情報を取得する情報配信端末の条件をサーバに登録することを特徴とするものである。
【００１４】
また、本発明にかかる情報配信システムは、情報配信端末は、接続情報を基に、接続情報を受信した移動体とのみ自動的にブルートゥース接続を行い、移動体に情報を提供し、移動体が情報を取得することを特徴とするものである。
【００１５】
また、本発明にかかる情報配信システムは、情報配信端末がサーバから受信した接続情報には、ブルートゥース接続を行う移動体のブルートゥースアドレスと、サーバが任意に作成したピンコードと、が少なくとも含まれており、移動体がサーバから受信した接続情報には、ブルートゥース接続を行う情報配信端末のブルートゥースアドレスと、サーバが任意に作成したピンコードと、が少なくとも含まれており、情報配信端末は、情報配信端末の保持する情報配信端末ブルートゥースアドレスと、移動体のブルートゥースアドレスと、サーバが任意に作成したピンコードと、の少なくとも１つを用いて移動体とのブルートゥース接続を行う手段を有し、移動体に情報を提供し、移動体は、移動体の保持する移動体ブルートゥースアドレスと、情報配信端末のブルートゥースアドレスと、サーバが任意に作成したピンコードと、の少なくとも１つを用いて情報配信端末とのブルートゥース接続を行う手段を有し、情報を取得することを特徴とするものである。
【００１６】
また、本発明にかかる情報配信システムは、情報配信端末は、情報配信端末の保持する情報配信端末ブルートゥースアドレスを移動体に送信する手段と、情報配信端末ブルートゥースアドレスを送信した移動体から移動体の保持する移動体ブルートゥースアドレスを受信した際に、該受信した移動体ブルートゥースアドレスが、接続情報に含まれているか否かを判定し、接続情報に含まれていると判定した場合に、移動体とのブルートゥース接続を行うための接続認証要求を移動体に送信する手段と、接続認証要求を送信した移動体からピンコードを受信した際に、該受信したピンコードが接続情報に含まれるピンコードと一致した場合に、移動体とのブルートゥース認証を行う手段と、を有し、移動体に情報を提供し、移動体は、情報配信端末から情報配信端末の保持する情報配信端末ブルートゥースアドレスを受信した際に、該受信した情報配信端末ブルートゥースアドレスが接続情報に含まれているか否かを判定し、該受信した情報配信端末ブルートゥースアドレスが接続情報に含まれていると判定した場合に、移動体の保持する移動体ブルートゥースアドレスを情報配信端末に送信する手段と、移動体ブルートゥースアドレスを送信した情報配信端末から接続認証要求を受信した際に、接続情報に含まれるピンコードを情報配信端末に送信する手段と、ピンコードを送信した情報配信端末とブルートゥース認証を行う手段と、を有し、情報を取得することを特徴とするものである。
【００１７】
また、本発明にかかる情報配信システムは、情報配信端末は、移動体とのブルートゥース認証を行った際に、リンクキーを生成し、該生成したリンクキーを接続情報と共に格納する接続データベースを有し、移動体は、情報配信端末とのブルートゥース認証を行った際に、リンクキーを生成し、該生成したリンクキーを接続情報と共に格納する接続データベースを有することを特徴とするものである。
【００１８】
また、本発明にかかる情報配信方法は、移動体と、移動体に情報を提供する複数の情報配信端末と、移動体と情報配信端末とに情報を提供するサーバと、を有する情報配信システムにおける情報配信方法であって、移動体が、情報を取得する情報配信端末の条件をサーバに登録する工程と、サーバが、移動体に情報を提供する複数の情報配信端末の情報を格納する情報配信端末データベースの中から、移動体から登録された情報配信端末の条件と一致する情報配信端末の情報を取得し、条件と一致する情報配信端末との接続に必要な接続情報を生成し、該生成した接続情報を移動体に送信する工程と、移動体が、情報配信端末との接続に必要な接続情報をサーバから受信する工程と、サーバが、移動体から登録された情報配信端末の条件と一致する情報配信端末に対し移動体との接続に必要な接続情報を送信する工程と、情報配信端末が、接続情報をサーバから受信し、該受信した接続情報を基に、サーバから接続情報を受信した移動体とのみブルートゥース接続を行い、移動体に情報を提供する工程と、を行うことを特徴とするものである。
【００１９】
また、本発明にかかる情報配信方法は、サーバが、情報配信端末の条件を登録した移動体の情報と、移動体との接続に必要な接続情報とを、条件と一致する情報配信端末名に関連付けてサーバの具備する情報データベースに格納する工程を行うことを特徴とするものである。
【００２０】
また、本発明にかかる情報配信方法は、サーバが、情報を提供する複数の情報配信端末の情報を移動体に提供する工程を行い、移動体が、サーバが提供する複数の情報配信端末の情報を基に、情報を取得する情報配信端末の条件をサーバに登録する工程を行うことを特徴とするものである。
【００２１】
また、本発明にかかる情報配信方法は、情報配信端末が、接続情報を基に、接続情報を受信した移動体とのみ自動的にブルートゥース接続を行い、移動体に情報を提供することを特徴とするものである。
【００２２】
また、本発明にかかる情報配信方法は、情報配信端末がサーバから受信した接続情報には、ブルートゥース接続を行う移動体のブルートゥースアドレスと、サーバが任意に作成したピンコードと、が少なくとも含まれており、また、移動体がサーバから受信した接続情報には、ブルートゥース接続を行う情報配信端末のブルートゥースアドレスと、サーバが任意に作成したピンコードと、が少なくとも含まれており、情報配信端末が、情報配信端末の保持する情報配信端末ブルートゥースアドレスを移動体に送信する工程と、移動体が、情報配信端末の保持する情報配信端末ブルートゥースアドレスを情報配信端末から受信した際に、該受信した情報配信端末ブルートゥースアドレスが接続情報に含まれているか否かを判定し、該受信した情報配信端末ブルートゥースアドレスが接続情報に含まれていると判定した場合に、移動体の保持する移動体ブルートゥースアドレスを情報配信端末に送信する工程と、情報配信端末が、移動体の保持する移動体ブルートゥースアドレスを移動体から受信した際に、該受信した移動体ブルートゥースアドレスが、接続情報に含まれているか否かを判定し、接続情報に含まれていると判定した場合に、移動体とのブルートゥース接続を行うための接続認証要求を移動体に送信する工程と、移動体が、接続認証要求を情報配信端末から受信した際に、接続情報に含まれるピンコードを情報配信端末に送信する工程と、情報配信端末が、ピンコードを移動体から受信した際に、該受信したピンコードが接続情報に含まれるピンコードと一致した場合に、移動体とのブルートゥース認証を行い移動体に情報を提供する工程と、を行うことを特徴とするものである。
【００２３】
また、本発明にかかる情報配信方法は、情報配信端末が、移動体とのブルートゥース認証を行った際に、リンクキーを生成し、該生成したリンクキーを接続情報と共に情報配信端末の具備する接続データベースに格納する工程と、移動体が、情報配信端末とのブルートゥース認証を行った際に、リンクキーを生成し、該生成したリンクキーを接続情報と共に移動体の具備する接続データベースに格納する工程と、を行うことを特徴とするものである。
【００２４】
また、本発明にかかる移動体は、情報を提供する情報配信端末とブルートゥース接続を行い、情報を取得する移動体であって、情報を取得する情報配信端末の条件を、ネットワークを介して接続されたサーバに登録する手段と、条件と一致する情報配信端末との接続に必要な接続情報をサーバから受信する手段と、サーバから受信した接続情報と一致する情報配信端末から自動的にブルートゥース接続が行われ、情報を情報配信端末から取得する手段と、を有することを特徴とするものである。
【００２５】
また、本発明にかかる移動体は、サーバから受信した接続情報には、ブルートゥース接続を行う情報配信端末のブルートゥースアドレスと、サーバが任意に作成したピンコードと、が少なくとも含まれており、移動体は、情報配信端末から情報配信端末の保持する情報配信端末ブルートゥースアドレスを受信した際に、該受信した情報配信端末ブルートゥースアドレスが接続情報に含まれているか否かを判定し、該受信した情報配信端末ブルートゥースアドレスが接続情報に含まれていると判定した場合に、移動体の保持する移動体ブルートゥースアドレスを情報配信端末に送信する手段と、移動体ブルートゥースアドレスを送信した情報配信端末から、移動体とのブルートゥース接続を行うための認証要求を受信した際に、接続情報に含まれるピンコードを情報配信端末に送信する手段と、ピンコードを送信した情報配信端末とブルートゥース認証を行う手段と、を有し、情報を情報配信端末から取得することを特徴とするものである。
【００２６】
また、本発明にかかる移動体は、情報配信端末とのブルートゥース認証を行った際に、リンクキーを生成し、該生成したリンクキーを接続情報と共に移動体の具備する接続データベースに格納することを特徴とするものである。
【００２７】
また、本発明にかかるサーバは、移動体と、移動体に情報を提供する複数の情報配信端末と、に接続情報を提供するサーバであって、移動体から情報を取得する情報配信端末の条件が登録された際に、複数の情報配信端末の情報を格納する情報配信端末データベースの中から、移動体から登録された情報配信端末の条件と一致する情報配信端末の情報を取得し、条件と一致する情報配信端末とのブルートゥース接続に必要な接続情報を生成し、該生成した接続情報を移動体に送信する手段と、移動体から登録された情報配信端末の条件と一致する情報配信端末に対し、移動体とのブルートゥース接続に必要な接続情報を送信する手段と、を有することを特徴とするものである。
【００２８】
また、本発明にかかるサーバは、情報配信端末の条件を登録した移動体の情報と、移動体とのブルートゥース接続に必要な接続情報とを、条件と一致する情報配信端末名に関連付けて格納する情報データベースを有することを特徴とするものである。
【００２９】
また、本発明にかかるサーバは、移動体に情報を提供する複数の情報配信端末の情報を移動体に提供する手段を有し、移動体から情報を取得する情報配信端末の条件が登録されることを特徴とするものである。
【００３０】
また、本発明にかかるサーバは、情報配信端末に送信した接続情報には、ブルートゥース接続を行う移動体のブルートゥースアドレスと、サーバが任意に作成したピンコードと、が少なくとも含まれており、移動体に送信した接続情報には、ブルートゥース接続を行う情報配信端末のブルートゥースアドレスと、サーバが任意に作成したピンコードと、が少なくとも含まれていることを特徴とするものである。
【００３１】
また、本発明にかかる情報配信端末は、移動体に情報を提供する複数の情報配信端末であって、移動体に情報を提供する複数の情報配信端末の情報を格納する情報配信端末データベースの中から、移動体から登録された情報配信端末の条件と一致する情報配信端末の情報を取得し、条件と一致する情報配信端末との接続に必要な接続情報を生成し、該生成した接続情報を送信した移動体との接続に必要な接続情報をサーバから取得する手段と、サーバから取得した接続情報を基に、接続情報を受信した移動体とのみブルートゥース接続を行い、移動体に情報を提供する手段と、を有することを特徴とするものである。
【００３２】
また、本発明にかかる情報配信端末は、サーバから取得した接続情報を基に、接続情報を受信した移動体とのみ自動的にブルートゥース接続を行い、移動体に情報を提供することを特徴とするものである。
【００３３】
また、本発明にかかる情報配信端末は、サーバから取得した接続情報には、ブルートゥース接続を行う移動体のブルートゥースアドレスと、サーバが任意に作成したピンコードと、が少なくとも含まれており、情報配信端末は、情報配信端末の保持する情報配信端末ブルートゥースアドレスを移動体に送信する手段と、情報配信端末ブルートゥースアドレスを送信した移動体から移動体の保持する移動体ブルートゥースアドレスを受信した際に、該受信した移動体ブルートゥースアドレスが、接続情報に含まれているか否かを判定し、接続情報に含まれていると判定した場合に、移動体とブルートゥース接続を行うための接続認証要求を移動体に送信する手段と、接続認証要求を送信した移動体からピンコードを受信した際に、該受信したピンコードが接続情報に含まれるピンコードと一致した場合に、移動体とのブルートゥース認証を行う手段と、を有し、移動体に情報を提供することを特徴とするものである。
【００３４】
また、本発明にかかる情報配信端末は、移動体とのブルートゥース認証を行った際に、リンクキーを生成し、該生成したリンクキーを接続情報と共に格納する接続データベースを有することを特徴とするものである。
【発明の効果】
【００３５】
本発明にかかる情報配信システム、情報配信方法は、移動体と、移動体に情報を提供する複数の情報配信端末と、移動体と情報配信端末とに情報を提供するサーバと、を有し、移動体が、情報を取得する情報配信端末の条件をサーバに登録し、サーバが、移動体に情報を提供する複数の情報配信端末の情報を格納する情報配信端末データベースの中から、移動体から登録された情報配信端末の条件と一致する情報配信端末の情報を取得し、その条件と一致する情報配信端末との接続に必要な接続情報を生成し、該生成した接続情報を移動体に送信し、移動体が、情報配信端末との接続に必要な接続情報をサーバから受信し、サーバが、移動体から登録された情報配信端末の条件と一致する情報配信端末に対し移動体との接続に必要な接続情報を送信し、情報配信端末が、接続情報をサーバから受信し、該受信した接続情報を基に、サーバから接続情報を受信した移動体とのみブルートゥース接続を行い、移動体に情報を提供することで、セキュリティを向上させつつ、利用者の所望する情報を絶えず取得することが可能となる。
【００３６】
本発明にかかる移動体は、情報を提供する情報配信端末とブルートゥース接続を行い、情報を取得する移動体であり、情報を取得する情報配信端末の条件を、ネットワークを介して接続されたサーバに登録し、条件と一致する情報配信端末との接続に必要な接続情報をサーバから受信し、サーバから受信した接続情報と一致する情報配信端末から自動的にブルートゥース接続が行われ、情報を情報配信端末から取得することで、セキュリティを向上させつつ、利用者の所望する情報を絶えず取得することが可能となる。
【００３７】
本発明にかかるサーバは、移動体と、移動体に情報を提供する複数の情報配信端末と、に接続情報を提供するサーバであり、移動体から情報を取得する情報配信端末の条件が登録された際に、複数の情報配信端末の情報を格納する情報配信端末データベースの中から、移動体から登録された情報配信端末の条件と一致する情報配信端末の情報を取得し、条件と一致する情報配信端末とのブルートゥース接続に必要な接続情報を生成し、該生成した接続情報を移動体に送信し、また、移動体から登録された情報配信端末の条件と一致する情報配信端末に対し、移動体とのブルートゥース接続に必要な接続情報を送信することで、情報配信端末側には、セキュリティを向上させつつ、利用者の所望する情報を利用者側に絶えず提供させることが可能となる。また、移動体側には、セキュリティを向上させつつ、利用者の所望する情報を絶えず取得させることが可能となる。
【００３８】
本発明にかかる情報配信端末は、移動体に情報を提供する複数の情報配信端末であり、移動体に情報を提供する複数の情報配信端末の情報を格納する情報配信端末データベースの中から、移動体から登録された情報配信端末の条件と一致する情報配信端末の情報を取得し、条件と一致する情報配信端末との接続に必要な接続情報を生成し、該生成した接続情報を送信した移動体との接続に必要な接続情報をサーバから取得し、サーバから取得した接続情報を基に、接続情報を受信した移動体とのみブルートゥース接続を行い、移動体に情報を提供することで、セキュリティを向上させつつ、利用者の所望する情報を利用者側に絶えず提供することが可能となる。
【発明を実施するための最良の形態】
【００３９】
まず、図２を参照しながら、本発明の特徴について説明する。
本発明は、移動体となる携帯端末（１３０）と、移動体となる携帯端末（１３０）に情報を提供する複数の情報配信端末（１２０）と、移動体となる携帯端末（１３０）と情報配信端末（１２０）とに情報を提供するサーバ（１１０）と、を有して構成される情報配信システムであり、移動体となる携帯端末（１３０）が、情報を取得する情報配信端末（１２０）の条件をサーバ（１１０）に登録し、サーバ（１１０）が、移動体となる携帯端末（１３０）に情報を提供する複数の情報配信端末（１２０）の情報を格納する情報配信端末データベース（２１３）の中から、移動体となる携帯端末（１３０）から登録された情報配信端末（１２０）の条件と一致する情報配信端末（１２０）の情報を取得し、その条件と一致する情報配信端末（１２０）との接続に必要な接続情報を生成し、該生成した接続情報を移動体となる携帯端末（１３０）に送信し、移動体となる携帯端末（１３０）が、情報配信端末（１２０）との接続に必要な接続情報をサーバ（１１０）から受信する。また、サーバ（１１０）が、移動体となる携帯端末（１３０）から登録された情報配信端末（１２０）の条件と一致する情報配信端末（１２０）に対して、移動体となる携帯端末（１３０）との接続に必要な接続情報を送信し、情報配信端末（１３０）が移動体となる携帯端末（１３０）との接続に必要な接続情報をサーバ（１１０）から受信する。そして、情報配信端末（１２０）がサーバ（１１０）から受信した接続情報を基に、サーバ（１１０）から接続情報を受信した移動体となる携帯端末（１３０）とのみ自動的にブルートゥース接続を行い、移動体となる携帯端末（１３０）に対して情報を提供することになる。
【実施例１】
【００４０】
以下、添付図面を参照しながら、本発明にかかる情報配信システムについて説明する。
まず、図１を参照しながら、本実施例における情報配信システムのシステム構成例について説明する。なお、図1は、本発明による携帯端末を使用した情報配信システムの一構成例を示唆したものである。
【００４１】
本発明にかかる情報配信システムは、サーバ（１１０）と、情報配信端末（１２０）と、携帯端末（１３０）と、を有して構成されており、サーバ（１１０）と情報配信端末（１２０）とは、インターネット（１４０）を介して接続されている。また、サーバ（１１０）と携帯端末（１３０）とは、インターネット（１４０）を介して接続されている。なお、情報配信端末（１２０）と携帯端末（１３０）とは、ブルートゥースによる情報通信が可能となるような通信手段を構築しており、各端末（１２０、１３０）の具備するブルートゥース手段（１２６Ａ、１２６Ｂ）により通信可能なブルートゥース通信範囲（１５０Ａ、１５０Ｂ）を介してブルートゥースによる情報通信が行われることになる。
【００４２】
次に、図２を参照しながら、図１に示す情報配信システムを構成する各装置の内部構成について詳細に説明する。
【００４３】
（サーバ（１１０）の構成）
サーバ（１１０）は、各地に設置してある情報配信端末（１２０）の情報を一元管理する情報処理装置であり、サーバ（１１０）は、情報配信端末（１２０）、および、利用者の保持する携帯端末（１３０）と、インターネット（１４０）等の通信網を介して情報通信を行うことになる。なお、サーバ（１１０）は、通信手段（２１１）と、ユーザ情報データベース（２１２）と、情報配信端末データベース（２１３）と、検索手段（２１４）と、Ｗｅｂページ提供手段（２１５）と、情報制御手段（２１６）と、を有して構成されている。
【００４４】
Ｗｅｂページ提供手段（２１５）は、インターネット（１４０）等の通信網を介して携帯端末（１３０）からのアクセスを可能とし、Ｗｅｂページのアクセスを通して携帯端末（１３０）との情報通信を行い、携帯端末（１３０）を保持する利用者の希望するコンテンツ情報と、コンテンツ情報の配信を希望する地域情報と、携帯端末（１３０）のブルートゥースアドレス等の利用者固有情報と、を携帯端末（１３０）から取得することになる。
【００４５】
ユーザ情報データベース（２１２）は、Ｗｅｂページ提供手段（２１５）により取得した利用者の携帯端末（１３０）側の固有情報を保存するデータベースであり、このユーザ情報データベース（２１２）に保存される利用者の携帯端末（１３０）側の固有情報は通信手段（２１１）により情報配信端末（１２０）に送信されることになる。
【００４６】
情報配信端末データベース（２１３）は、情報を提供する側の情報配信端末（１２０）側の固有情報を保存するデータベースであり、この情報配信端末データベース（２１３）を用いて利用者の所望するコンテンツ情報を保有する情報配信端末が、どの端末であるのかを検索手段（２１４）により検索することになる。
【００４７】
検索手段（２１４）は、情報配信端末データベース（２１３）から利用者の指定する条件に合致したコンテンツを保有する情報配信端末を検索するものである。
【００４８】
情報制御手段（２１６）は、利用者からの携帯端末側の固有情報をユーザ情報データベース（２１２）に格納する機能と、検索手段（２１４）を制御する機能と、を有しており、また、携帯端末（１３０）と情報配信端末（１２０）とのブルートゥース通信時に必要となるピンコード（Ｐｅｒｓｏｎａｌ  Ｉｄｅｎｔｉｆｉｃａｔｉｏｎ  Ｎｕｍｂｅｒ）を任意の生成する機能を有している。なお、検索手段（２１４）により情報配信端末データベース（２１３）を検索した際の検索結果、及び、情報制御手段（２１６）により生成されたピンコードは、利用者の保持する携帯端末（１３０）からサーバ（１１０）のＷｅｂページにアクセスした際に、Ｗｅｂページ提供手段（２１５）により携帯端末（１３０）に返信することになる。
【００４９】
通信手段（２１１）は、情報制御手段（２１６）が任意に生成したピンコードと、ユーザ情報データベース（２１２）に格納された、利用者の携帯端末（１３０）側の固有情報と、を情報配信端末（１２０）側に送信する。
【００５０】
（情報配信端末（１２０）の構成）
情報配信端末（１２０）は、通信手段（２２１）と、接続情報データベース（２２２）と、検索手段（２２３）と、ブルートゥース接続制御手段（２２４）と、ブルートゥース手段（１２６Ａ）と、情報配信端末（１２０）が提供するコンテンツ情報（２２５）と、を有して構成されている。
【００５１】
通信手段（２２１）は、サーバ（１１０）の具備するユーザ情報データベース（２１２）に保管された携帯端末（１３０）側の固有情報を受信するものであり、通信手段（２２１）が受信した携帯端末（１３０）側の固有情報は、接続情報データベース（２２２）に保管されることになる。
【００５２】
コンテンツ情報（２２５）は、情報配信端末（１２０）の保有するコンテンツ情報であり、ブルートゥース手段（１２６Ａ）を介して利用者側の携帯端末（１３０）に提供することになる。
【００５３】
ブルートゥース接続制御手段（２２４）は、ブルートゥース手段（１２６Ａ）から得られるブルートゥース情報に基づいてブルートゥース手段（１２６Ａ）と、接続情報データベース（２２２）と、検索手段（２２３）と、を制御し、携帯端末（１３０）側とのブルートゥース接続を制御する機能を有することになる。
【００５４】
（携帯端末（１３０）の構成）
携帯端末（１３０）は、表示手段（２３１）と、通信手段（２３２）と、検索手段（２３４）と、ブルートゥース接続制御手段（２３５）と、ブルートゥース手段（１２６Ｂ）と、接続情報データベース（２３６）と、を有して構成されている。
【００５５】
通信手段（２３２）は、サーバ（１１０）の提供するＷｅｂページにアクセスするものであり、この通信手段（２３２）により利用者の所望するコンテンツジャンルと、コンテンツ配信を利用する地域情報と、をサーバ（１１０）側に送信することになる。またこの時、通信手段（２３２）は、サーバ（１１０）側から該当する情報配信端末（１２０）のブルートゥースアドレスと、情報配信端末（１２０）とのブルートゥース接続時に必要となるピンコードと、を取得することになる。なお、通信手段（２３２）がサーバ（１１０）から受信した情報は、接続情報データベース（２３６）に保管されることになる。
【００５６】
ブルートゥース手段（１２６Ｂ）は、情報配信端末（１２０）側とブルートゥース通信を行うものであり、このブルートゥース通信により情報配信端末（１２０）からコンテンツ情報を取得することになる。なお、ブルートゥース手段（１２６Ｂ）がブルートゥース通信により取得したコンテンツ情報は表示手段（２３１）に表示されることになる。
【００５７】
ブルートゥース接続制御手段（２３５）は、ブルートゥース手段（１２６Ｂ）と、検索手段（２３４）と、接続情報データベース（２３６）と、を制御し、情報配信端末（１２０）とのブルートゥース接続を制御する機能を有する。
【００５８】
なお、図３は図１、図２に示す、情報配信端末（１２０）と携帯端末（１３０）とが保持するブルートゥース手段（１２６Ａ、１２６Ｂ）の構成例を示唆したものである。図３に示すように、ブルートゥース手段（１２６）は、主に、ブルートゥース無線部となる無線通信部（３１１）と、アンテナ（３１０）と、無線通信部（３１１）と各部を制御しブルートゥース通信を行うベースバンド部（３１２）と、により構成されている。
【００５９】
次に、図４、図５を参照しながら、サーバ（１１０）の具備する情報配信端末データベース（２１３）と、ユーザ情報データベース（２１２）と、に格納されるデータ構成例について説明する。なお、図４は、情報配信端末データベース（２１３）のデータ構成例を示唆するものであり、図５は、ユーザ情報データベース（２１２）のデータ構成例を示唆するものである。
【００６０】
情報配信端末データベース（２１３）は、図４に示すように、情報配信端末名（４００）に関連付けて、情報配信端末がどのような種類のコンテンツを保有しているかを示唆するコンテンツジャンル（４０１）と、情報配信端末がどの地域に設置されているかを示唆する地域名（４０２）と、情報配信端末の保持するブルートゥースアドレスを示唆する情報配信端末ブルートゥースアドレス（４０３）と、から構成されている。
【００６１】
ユーザ情報データベース（２１２）は、図５に示すように、情報配信端末名（４００）に関連づけて、情報配信端末を利用するユーザ名（４１１）と、利用者の携帯端末（１３０）の保有するブルートゥースアドレスを示唆するユーザ端末ブルートゥースアドレス（４１２）と、ブルートゥース接続をするための情報であるピンコード（４１３）と、から構成されている。
【００６２】
次に、図６を参照しながら、図２に示す情報配信端末（１２０）の具備する接続情報データベース（２２２）に格納される情報のデータ構成例について説明する。
【００６３】
接続情報データベース（２２２）は、利用者を示すユーザ名（４１１）に関連付けて、利用者の保持する携帯端末のブルートゥースアドレスを示唆するユーザ端末ブルートゥースアドレス（４１２）と、ブルートゥース接続をするための情報であるピンコード（４１３）と、から構成されている。なお、情報配信端末（１２０）が携帯端末（１３０）側とのブルートゥース認証が完了している場合は、接続情報データベース（２２２）には、ユーザ端末ブルートゥースアドレス（４１２）とピンコード（４１３）と共に、リンクキー（５０３）も合わせて保管管理されることになる。
【００６４】
次に、図７を参照しながら、図２に示す携帯端末（１３０）の具備する接続情報データベース（２３６）に格納される情報のデータ構成例について説明する。
【００６５】
接続情報データベース（２３６）は、情報配信端末名（４００）に関連付けて、情報配信端末のブルートゥースアドレスを示唆する情報配信端末ブルートゥースアドレス（４０３）と、ブルートゥース接続をするための情報であるピンコード（４１３）と、から構成されている。なお、携帯端末（１３０）が情報配信端末（１２０）側とのブルートゥース認証が完了している場合は、接続情報データベース（２３６）には、情報配信端末のブルートゥースアドレス（４０３）とピンコード（４１３）と共に、リンクキー（６０３）も合わせて保管管理されることになる。
【００６６】
（情報配信システムにおける処理動作）
次に、図２、図８を参照しながら、本発明にかかる情報配信システムにおける処理動作について説明する。
【００６７】
まず、情報配信端末（１２０）は、自端末の提供するコンテンツ情報をサーバ（１１０）に送信する。詳細には、図４に示すように、情報配信端末名（４００）に関連付けて情報配信端末の提供するコンテンツジャンル名（４０１）と、情報配信端末が設置されている地域名（４０２）と、情報配信端末が保持する固有の情報配信端末ブルートゥースアドレス（４０３）と、を送信することになる。これにより、サーバ（１１０）は、情報配信端末（１２０）側から受信した情報を基に、図４に示す情報配信端末データベース（２１３）を作成することになる（ステップＳ８０１）。なお、サーバ（１１０）側が情報配信端末（１２０）側にアクセスし、各情報配信端末の提供するコンテンツ情報（情報配信端末の提供するコンテンツジャンル名（４０１）、情報配信端末が設置されている地域名（４０２）、情報配信端末が保持する固有の情報配信端末ブルートゥースアドレス（４０３））を情報配信端末名（４００）に関連付けて取得することも可能である。また、サーバ（１１０）が図４に示す情報配信端末データベース（２１３）に格納された情報配信端末名（４００）を基に、定期的に情報配信端末にアクセスし、情報配信端末から情報を取得し、情報配信端末データベース（２１３）の情報を更新することも可能である。
【００６８】
次に、サーバ（１１０）は、Ｗｅｂページ提供手段（２１５）により利用者向けのＷｅｂページを作成し、利用者側にＷｅｂページを提供することになる（ステップＳ８０２）。次に、利用者は、利用者の保持する携帯端末（１３０）を用いて、携帯端末（１３０）の具備する通信手段（２３２）によりサーバ（１１０）側の具備するＷｅｂページ提供手段（２１５）の提供するＷｅｂページにアクセスし、コンテンツ情報を取得する際に必要となる情報をサーバ（１１０）側の具備するユーザ情報データベース（２１２）（図５参照）に登録することになる（ステップＳ８０３）。なお、サーバ（１１０）側の具備するユーザ情報データベース（２１２）に登録する際に必要な情報とは、図４、図５に示すように、ユーザ名（４１１）と、情報提供を所望するコンテンツのジャンル名（４０１）と、情報配信端末を利用する地域名（４０２）と、携帯端末固有のユーザ端末ブルートゥースアドレス（４１２）と、である。
【００６９】
次に、サーバ（１１０）は、携帯端末（１３０）から受信した情報を、サーバ（１１０）の具備するＷｅｂページ提供手段（２１５）を介して情報制御手段（２１６）に送信する。情報制御手段（２１６）は、携帯端末（１３０）から受信した上記情報の中からコンテンツのジャンル名（４０１）と、情報配信端末を利用する地域名（４０２）と、を基に利用者の所望する条件に合致する情報配信端末名（４００）を、サーバ（１１０）の具備する検索手段（２１４）を用いて情報配信端末データベース（２１３）を検索取得することになる（ステップＳ８０４）。
【００７０】
なお、情報配信端末データベース（２１３）は、図４に示唆されるようなデータ構成例となっており、例えば、携帯端末（１３０）から受信したコンテンツジャンル名（４０１）と地域名（４０２）との情報が、「コンテンツジャンルＡ」と、「地域名Ａ」と、の場合には、図４に示す情報配信端末データベース（２１３）の「項１」に該当することになり、情報配信端末名（４００）が「情報配信端末Ａ」、情報配信端末ブルートゥースアドレス（４０３）が「情報配信端末ブルートゥースアドレス１」という検索結果を検索手段（２１４）を介して情報制御手段（２１６）が取得することとなる。
【００７１】
次に、情報制御手段（２１６）は、ブルートゥース接続に必要なピンコードを利用者単位にユニークに生成し、該生成したピンコードを、上記ステップＳ８０４で検索取得した情報配信端末名（４００）と関連付けて図５に示唆するようなユーザ情報データベース（２１２）を構成することになる（ステップＳ８０５）。例えば、先の例の場合では、利用者の所望する条件に合致する情報配信端末名（４００）として、「項１」に該当する「情報配信端末Ａ」が検索されることになり、図５に示す「項１」の位置には、「情報配信端末Ａ」に関連付けて「ユーザ名１」と、「ユーザ端末ブルートゥースアドレス１」と、「ピンコード１」と、がそれぞれ格納されることになる。
【００７２】
なお、図示しないが、ステップＳ８０４の情報配信端末の検索取得結果において、ユーザの所望する情報配信端末が存在しない場合は、情報制御手段（２１６）は、利用者単位のピンコードの生成、及び、ユーザ情報データベース（２１２）に対する格納処理を行わないことになる。そして、情報制御手段（２１６）は、利用者の所望する情報配信端末が存在しない旨を携帯端末（１３０）に通知することになる。
【００７３】
次に、情報制御手段（２１６）は、ステップＳ８０４における情報配信端末の検索取得結果と、ステップＳ８０５におけるピンコードと、をＷｅｂページ提供手段（２１５）を介して携帯端末（１３０）に送信することになる（ステップＳ８０６）。これにより、携帯端末（１３０）は、携帯端末（１３０）の具備する通信手段（２３２）を介して、サーバ（１１０）から情報配信端末の検索取得結果と、ピンコードと、を受信することになる。
【００７４】
なお、情報制御手段（２１６）が、利用者の携帯端末（１３０）に送信するステップＳ８０４の情報配信端末の検索取得結果は、図４に示す情報配信端末名（４００）と、情報配信端末ブルートゥースアドレス（４０３）と、であり、ステップＳ８０５のピンコードは、図５に示す情報配信端末名（４００）に関連付けられたピンコード（４１３）である。例えば、先の例の場合では、情報制御手段（２１６）は、図４に示す情報配信端末データベース（２１３）の「項１」を検索取得しているので、「情報配信端末名Ａ」と「情報配信端末ブルートゥースアドレス１」とが、また、図５に示すユーザ情報データベース（２１２）の「項１」に格納された、情報制御手段（２１６）が任意に生成した「ピンコード１」がＷｅｂページ提供手段（２１５）を介して携帯端末（１３０）に送信されることになる。
【００７５】
次に、携帯端末（１３０）の具備する通信手段（２３２）は、サーバ（１１０）側から受信した情報配信端末の検索取得結果とピンコードとを、接続情報データベース（２３６）に格納することになる（ステップＳ８０７）。なお、接続情報データベース（２３６）は、図６に示唆する情報から構成されており、情報配信端末に対応した情報配信端末ブルートゥースアドレス（４０３）と、情報配信端末側との認証処理に必要となるピンコード（４１３）と、が情報配信端末名（４００）に関連付けられた上で接続情報データベース（２３６）に格納されて維持管理されることになる。
【００７６】
また、サーバ（１１０）の情報制御手段（２１６）は、ユーザ情報データベース（２１２）に格納したユーザ名（４１１）と、ユーザ端末ブルートゥースアドレス（４１２）と、ピンコード（４１３）と、を通信手段（２１１）を介して情報配信端末（１２０）側に送信する（ステップＳ８０８）。そして、情報配信端末（１２０）は、情報配信端末（１２０）の具備する通信手段（２２１）を介してサーバ（１１０）側が送信したユーザ名（４１１）と、ユーザ端末ブルートゥースアドレス（４１２）と、ピンコード（４１３）と、を受信することになる。そして、情報配信端末（１２０）の具備する通信手段（２２１）は、サーバ（１１０）側から受信したユーザ名（４１１）と、ユーザ端末ブルートゥースアドレス（４１２）と、ピンコード（４１３）と、を情報配信端末（１２０）の具備する接続情報データベース（２２２）に格納することになる（ステップＳ８０９）。
【００７７】
なお、接続情報データベース（２２２）は、図5に示唆する情報から構成されており、ユーザ端末ブルートゥースアドレス（４１２）と、ピンコード（４１３）と、がユーザ名（４１１）に関連付けられた上で接続情報データベース（２２２）に格納されて維持管理されることになる。
【００７８】
そして、利用者の保持する携帯端末（１３０）は、利用者の所望する条件に合致した情報配信端末（１２０）のみと自動的にブルートゥース接続を行うことになり、ブルートゥース通信処理により、情報配信端末（１２０）から携帯端末（１３０）側にコンテンツ情報が提供されることになる（ステップＳ８１０）。
【００７９】
次に、図９を参照しながら、情報配信端末（１２０）と携帯端末（１３０）とが自動的にブルートゥース接続処理を行い、情報配信端末（１２０）側から携帯端末（１３０）側にコンテンツ情報を提供する際の詳細な処理動作について説明する。なお、以下に説明する処理動作の前提条件としては、情報配信端末（１２０）と、携帯端末（１３０）と、の具備する各接続情報データベース（２２２（図５参照）、２３６（図６参照））には、サーバ（１１０）側から受信した情報が格納されているものとする。
【００８０】
まず、図２に示す情報配信端末（１２０）は、情報配信端末（１２０）の具備するブルートゥース手段（１２６Ａ）を用いてブルートゥース装置の探索処理を行い、接続相手先となる携帯端末（１３０）を探索することになる（ステップＳ９０１）。なお、この探索範囲は、図１に示すブルートゥース探索範囲（１５０Ａ）で示唆されている範囲である。
【００８１】
一方、図２に示す携帯端末（１３０）は、情報配信端末（１２０）の具備するブルートゥース手段（１２６Ａ）による探索処理に応答できる状態で待機している。ここで、携帯端末（１３０）が移動し、図１に示す携帯端末（１３０）のブルートゥース通信範囲（１５０Ｂ）が、情報配信端末（１２０）側のブルートゥース通信範囲（１５０Ａ）に入ったとする。この時、携帯端末（１３０）の具備するブルートゥース手段（１２６Ｂ）は、情報配信端末（１２０）の具備するブルートゥース手段（１２６Ａ）から送信されている情報配信端末（１２０）の接続要求を受信し、該受信した情報配信端末（１２０）の接続要求をブルートゥース接続制御手段（２３５）に送信することになる（ステップＳ９０２）。
【００８２】
次に、ブルートゥース接続制御手段（２３５）は、ブルートゥース手段（１２６Ｂ）から受信した情報配信端末（１２０）の接続要求を基に、その接続要求のあった情報配信端末（１２０）の固有情報（情報配信端末ブルートゥースアドレス（４０３））が携帯端末（１３０）の具備する接続情報データベース（２３６）に存在するか否かを判定するために、ブルートゥース接続制御手段（２３５）は、検索手段（２３４）を用いて接続情報データベース（２３６）内を検索することになる（ステップＳ９０３）。これにより、ブルートゥース接続制御手段（２３５）は、接続情報データベース（２３６）内を検索した検索結果を検索手段（２３４）を介して取得することになり（ステップＳ９０４）、ブルートゥース接続制御手段（２３５）は、接続情報データベース（２３６）から取得した検索結果を基に、接続要求のあった情報配信端末（１２０）とのブルートゥース接続を許可するか否かの判定処理を行うことになる（ステップＳ９０５）。
【００８３】
すなわち、ブルートゥース接続制御手段（２３５）は、現在接続要求が行われている情報配信端末（１２０）の固有情報（情報配信端末ブルートゥースアドレス（４０３））が、接続情報データベース（２３６）に登録されていないと判定した場合は（ステップＳ９０５／登録無し）、ブルートゥース接続制御手段（２３５）は、現在接続要求が行われている情報配信端末（１２０）に対する応答処理は行わないことになる（ブルートゥース接続処理を行わない）。これにより、携帯端末（１３０）は引き続き、情報配信端末（１２０）の具備するブルートゥース手段（１２６Ａ）による探索処理に応答できる状態で待機することになる（ステップＳ９０６）。
【００８４】
一方、ブルートゥース接続制御手段（２３５）は、現在接続要求が行われている情報配信端末（１２０）の固有情報（情報配信端末ブルートゥースアドレス（４０３））が接続情報データベース（２３６）に存在すると判定した場合は（ステップＳ９０５／登録有り）、ブルートゥース接続制御手段（２３５）は、現在接続要求が行われている情報配信端末（１２０）に対する応答処理を行うことになり、ブルートゥース接続制御手段（２３５）は、ブルートゥース手段（１２６Ｂ）に対してブルートゥースの応答を許可することになる（ステップＳ９０７）。そして、ブルートゥース手段（１２６Ｂ）は、ブルートゥース接続制御手段（２３５）からの応答許可により、情報配信端末（１２０）からの接続要求に応答することになり（ステップＳ９０８）、携帯端末（１３０）は、情報配信端末（１２０）とのブルートゥース接続処理を開始することになる。
【００８５】
次に、情報配信端末（１２０）の具備するブルートゥース手段（１２６Ａ）は、携帯端末（１３０）の具備するブルートゥース手段（１２６Ｂ）からの接続要求の応答を受信する。そして、情報配信端末（１２０Ａ）の具備するブルートゥース接続制御手段（２２４）は、接続要求の応答のあった携帯端末（１３０）の端末情報（ユーザ端末ブルートゥースアドレス（４１２））が接続情報データベース（２２２）に存在するか否かを判定するために、検索手段（２２３）を用いて接続情報データベース（２２２）を検索することになる（ステップＳ９０９）。
【００８６】
これにより、ブルートゥース接続制御手段（２２４）は、接続情報データベース（２２２）内を検索した検索結果を検索手段（２２３）を介して取得することになり（ステップＳ９１０）、ブルートゥース接続制御手段（２２４）は、接続情報データベース（２２２）を検索した検索結果を基に、接続要求の応答のあった携帯端末（１３０）の端末情報（ユーザ端末ブルートゥースアドレス（４１２））が存在するか否かの判定処理が行われることになる（ステップＳ９１１）。この判定結果により、ブルートゥース接続制御手段（２２４）は、接続要求に対する応答のあった携帯端末（１３０）の端末情報（ユーザ端末ブルートゥースアドレス（４１２））が接続情報データベース（２２２）内に存在しないと判定した場合は（ステップＳ９１１／登録無し）、通常のブルートゥース接続処理が行われることになる（ステップＳ９１２）。
【００８７】
一方、ブルートゥース接続制御手段（２２４）は、接続要求に対する応答のあった携帯端末（１３０）の端末情報（ユーザ端末ブルートゥースアドレス（４１２））が接続情報データベース（２２２）内に存在すると判定した場合は（ステップＳ９１１／登録有り）、ブルートゥース接続制御手段（２２４）は、ブルートゥース手段（１２６Ａ）に対してブルートゥース接続処理を開始させ、ブルートゥース手段（１２６Ａ）は、携帯端末（１３０）に対してブルートゥースの接続認証要求を送信することになる（ステップＳ９１３）。
【００８８】
次に、ブルートゥースの接続認証要求を受信した携帯端末（１３０）の具備するブルートゥース手段（１２６Ｂ）は、情報配信端末（１２０）との接続処理を行うためのピンコードの取得要求をブルートゥース制御手段（２３５）に送信することになる（ステップＳ９１４）。そして、ピンコードの取得要求を受信したブルートゥース接続制御手段（２３５）は、検索手段（２３４）を用いて接続情報データベース（２３６）からピンコードを引き出し（ステップＳ９１５）、該当するピンコードをブルートゥース手段（１２６Ｂ）に送信することになる（ステップＳ９１６）。そして、ブルートゥース手段（１２６Ｂ）は、ブルートゥース接続制御手段（２３５）から受信したピンコードを、ブルートゥースの接続認証要求を送信した情報配信端末（１２０）の具備するブルートゥース手段（１２６Ａ）に返信することになる（ステップＳ９１６）。
【００８９】
携帯端末（１３０）のピンコードを受信したブルートゥース手段（１２６Ａ）は、携帯端末（１３０）との接続処理を行うためのピンコードの取得要求をブルートゥース制御手段（２２４）に送信する（ステップＳ９１７）。ピンコードの取得要求を受信したブルートゥース接続制御手段（２２４）は、検索手段（２２３）を用いて接続情報データベース（２２２）からピンコードを引き出し（ステップＳ９１８）、該当するピンコードをブルートゥース手段（１２６Ａ）に送信する。
【００９０】
これにより、情報配信端末（１２０）の具備するブルートゥース手段（１２６Ａ）と、携帯端末（１３０）の具備するブルートゥース手段（１２６Ｂ）と、によるピンコードを用いたブルートゥースの認証処理が開始されることになる（ステップＳ９１９）。このブルートゥースの認証処理によりピンコードが携帯端末（１３０）側と情報配信端末（１２０）側とで一致した場合には認証処理が正しく終了することになり、携帯端末（１３０）側のブルートゥース手段（１２６Ｂ）と、情報配信端末（１２０）側のブルートゥース手段（１２６Ａ）と、においてそれぞれリンクキーが生成されることになる。そして、ブルートゥース手段（１２６Ａ）において生成されたリンクキーは、ブルートゥース接続制御手段（２２４）に送信され、ブルートゥース接続制御手段（２２４）は、リンクキーを接続情報データベース（２２２）に格納することになる（図６参照）（ステップＳ９２２、９２３）。また、ブルートゥース手段（１２６Ｂ）において生成されたリンクキーは、ブルートゥース接続制御手段（２３５）に送信され、ブルートゥース接続制御手段（２３５）は、リンクキーを接続情報データベース（２３６）に格納することになる（図７参照）（ステップＳ９２０、９２１）。
【００９１】
以上の処理により携帯端末（１３０）と情報配信端末（１２０）とがブルートゥースの認証処理を自動的に行うこととなり、ブルートゥースの認証処理が完了した際に、情報配信端末（１２０）側からユーザの所望するコンテンツ情報が携帯端末（１３０）側にブルートゥース通信により提供されることになる。
【００９２】
このように、情報配信端末（１２０）が、情報配信端末（１２０）の保持する情報配信端末ブルートゥースアドレスを移動体となる携帯端末（１３０）に送信し、移動体となる携帯端末（１３０）が、情報配信端末（１２０）の保持する情報配信端末ブルートゥースアドレスを情報配信端末（１２０）側から受信した際に、その受信した情報配信端末ブルートゥースアドレスが携帯端末（１３０）の具備する接続情報データベース（２３６）に含まれているか否かを判定し、情報配信端末（１２０）側から受信した情報配信端末ブルートゥースアドレスが接続情報データベース（２３６）に含まれていると判定した場合に、携帯端末（１３０）は、携帯端末（１３０）の保持するユーザ端末ブルートゥースアドレスを情報配信端末（１２０）に送信することになる。そして、情報配信端末（１２０）が、携帯端末（１３０）の保持するユーザ端末ブルートゥースアドレスを携帯端末（１３０）から受信した際に、その受信したユーザ端末ブルートゥースアドレスが、情報配信端末（１２０）の具備する接続情報データベース（２２２）に含まれているか否かを判定し、接続情報データベース（２２２）に含まれていると判定した場合に、情報配信端末（１２０）は、携帯端末（１３０）とのブルートゥース接続を行うための接続認証要求を携帯端末（１３０）に送信することになる。そして、携帯端末（１３０）が、接続認証要求を情報配信端末（１２０）から受信した際に、携帯端末（１３０）は、携帯端末（１３０）の具備する接続情報データベース（２３６）に含まれるピンコードを情報配信端末（１２０）に送信することになる。そして、情報配信端末（１２０）が、ピンコードを携帯端末（１３０）から受信した際に、その受信したピンコードが情報配信端末（１２０）の具備する接続情報データベース（２２２）に含まれるピンコードと一致した場合に、携帯端末（１３０）とのブルートゥース認証を行い携帯端末（１３０）にコンテンツ情報を提供することになる。
【００９３】
従って、利用者は所望する情報を取得するための情報をサーバ（１１０）側に登録しておくだけで、利用者は携帯端末（１３０）の操作を行わずに、利用者の所望するコンテンツ情報を自動的に情報配信端末（１２０）側から取得することが可能となる。また、携帯端末（１３０）は、複数の情報配信端末（１２０）側からの接続要求があったとしても、利用者の所望する情報を保有する情報配信端末（１２０）のみとブルートゥース接続が行われることから、携帯端末（１３０）側のセキュリティ性を確保できるばかりか、利用者側の携帯端末（１３０）と接続する情報配信端末（１２０）を選別する際の操作を省くことが可能となるため、利用者側の負担を軽減することが可能となる。
【実施例２】
【００９４】
次に、第２の実施例について説明する。
第１の実施例は、図９に示すように、ステップＳ９０１において、情報配信端末（１２０）の具備するブルートゥース手段（１２６Ａ）を用いてブルートゥース装置の探索処理を行い、接続相手先となる携帯端末（１３０）を探索することとしたが、第２の実施例は、携帯端末（１３０）の具備する操作部を押下し、携帯端末（１３０）側の具備するブルートゥース手段（１２６Ｂ）を用いて情報配信端末（１２０）側と接続することを特徴とするものである。これにより、図９に示すステップＳ９０７からの処理動作が行われることになり、携帯端末（１３０）側が情報配信端末（１２０）側からコンテンツ情報を取得するまでの処理を簡略化することが可能となる。
【実施例３】
【００９５】
次に、第３の実施例について説明する。
第１の実施例は、図９に示す、ステップＳ９０５において、ブルートゥース接続制御手段（２３５）が、情報配信端末（１２０）の固有情報（情報配信端末ブルートゥースアドレス（４０３））が接続情報データベース（２３６）に存在すると判定した場合に（ステップＳ９０５／登録有り）、情報配信端末（１２０）に対する応答処理を行い、ブルートゥース手段（１２６Ｂ）が、ユーザ端末ブルートゥースアドレスを情報配信端末（１２０）に送信し、情報配信端末（１２０）とのブルートゥース接続処理を開始することとしたが、第３の実施例は、図９に示す、ステップＳ９０５において、ブルートゥース接続制御手段（２３５）が、情報配信端末（１２０）の固有情報（情報配信端末ブルートゥースアドレス（４０３））が接続情報データベース（２３６）に存在すると判定した場合に（ステップＳ９０５／登録有り）、ブルートゥース接続制御手段（２３５）が、検索手段（２２３）を用いて接続情報データベース（２２２）からピンコードを引き出し（ステップＳ９１５）、該当するピンコードをブルートゥース手段（１２６Ｂ）により情報配信端末（１２０）に送信し（ステップＳ９１６）、情報配信端末（１２０）とのブルートゥース接続処理を開始することを特徴とするものである。これにより、図９に示すステップＳ９０７〜ステップＳ９１４までの処理を簡略化することが可能となり、携帯端末（１３０）が情報配信端末（１２０）側からコンテンツ情報を取得するまでの操作を簡略化することが可能となる。
【実施例４】
【００９６】
次に、第４の実施例について説明する。
第１の実施例は、図１に示すサーバ（１１０）と情報配信端末（１２０）とは別々に構成するシステム構成としたが、第４の実施例は、サーバ（１１０）が情報配信端末（１２０）の機能を兼ね備えたシステム構成を構築したり、情報配信端末（１２０）がサーバ（１１０）の機能を兼ね備えたシステム構成を構築したりすることも可能である。この場合は、図２に示すサーバ（１１０）側の具備する通信手段（２１１）と、情報配信端末側の具備する通信手段（２２１）とが不要となる構成にて本発明にかかる情報配信システムを構築することが可能となる。
【実施例５】
【００９７】
次に、第５の実施例について説明する。
第１の実施例は、図２に示すシステム構成において、サーバ（１１０）と携帯端末（１３０）との情報のやりとりに際し、サーバ（１１０）の具備するＷｅｂページ提供手段（２１５）が提供するＷｅｂページを用いて行うこととしたが、第５の実施例は、Ｗｅｂページによる情報のやり取りをメールにて行うことを特徴とするものである。このため、第５の実施例における情報配信システムのシステム構成は、図２に示すサーバ（１１０）側の具備するＷｅｂページ提供手段（２１５）と、携帯端末（１３０）側の具備する通信手段（２３２）と、をそれぞれメール手段に置き換え、携帯端末（１３０）に新たに具備するメール手段を用いてメールにて利用者の固有情報をサーバ（１１０）側に送信し、サーバ（１１０）側に新たに具備するメール手段を用いてメールにて情報配信端末の固有情報を携帯端末（１３０）側に送信することになる。
【実施例６】
【００９８】
次に、第６の実施例について説明する。
第１の実施例は、コンテンツ情報は情報配信端末（１２０）ごとに異なり、図４に示すように１つの情報配信端末に１つのコンテンツジャンルが保管されていることとしたが、第６の実施例は、図４に示す構成ではなく、１つの情報配信端末が複数のコンテンツジャンルを保管することを特徴とするものである。また、情報配信端末（１２０）に保有されるコンテンツ情報は固定である必要はなく、利用者からの要求に応じて必要なコンテンツ情報をサーバ（１１０）から情報配信端末（１２０）側に配信するように構成することも可能である。例えば、利用者が利用する地域内に所在する情報配信端末（１２０）に利用者の所望するコンテンツがない場合は、サーバ（１１０）内にコンテンツを保管する記憶手段を設け、通信手段（２１１）を介して情報配信端末（１２０）側に利用者の所望するコンテンツを送信するように構成すればよいことになる。
【００９９】
なお、上述する実施例は、本発明の好適な実施例であり、本発明の要旨を逸脱しない範囲において種々の変更を施した形態での実施が可能である。例えば、上記実施例における情報配信システムはコンテンツ情報を配信することとしたが、配信する情報は特に限定するものではなく、様々な情報を配信することは可能である。
【産業上の利用可能性】
【０１００】
本発明にかかる情報配信システム、情報配信方法、移動体、サーバ及び情報配信端末は、ブルートゥース通信を用いて携帯端末に広告情報や製品案内情報等を送信する広告情報配信システムや、ブルートゥース通信を用いて携帯端末に館内案内情報や店舗内案内情報等を送信する案内情報配信システム等に適用可能である。
【図面の簡単な説明】
【０１０１】
【図１】本発明にかかる情報配信システムのシステム構成を示す図である。
【図２】本発明にかかる情報配信システムを構成する各装置の内部構成を示す図である。
【図３】本発明にかかる情報配信システムを構成する携帯端末（１３０）と情報配信端末（１２０）との具備するブルートゥース手段の構成例を示す図である。
【図４】本発明にかかる情報配信システムを構成するサーバ（１１０）の具備する情報配信端末データベース（２１３）のデータ構成例を示す図である。
【図５】本発明にかかる情報配信システムを構成するサーバ（１１０）の具備するユーザ情報データベース（２１２）のデータ構成例を示す図である。
【図６】本発明にかかる情報配信システムを構成する情報配信端末（１２０）の具備する接続情報データベース（２２２）のデータ構成例を示す図である。
【図７】本発明にかかる情報配信システムを構成する携帯端末（１３０）の具備する接続情報データベース（２３６）のデータ構成例を示す図である。
【図８】本発明にかかる情報配信システムにおける処理動作を示すシーケンスチャートである。
【図９】本発明にかかる情報配信システムを構成する情報配信端末（１２０）と携帯端末（１３０）とが自動的にブルートゥース接続処理を行う際の処理動作を示すシーケンスチャートである。
【符号の説明】
【０１０２】
１１０    サーバ
１２０    情報配信端末
１２６Ａ、１２６Ｂ    ブルートゥース手段
１５０、１５０Ａ、１５０Ｂ    ブルートゥース通信範囲
１３０    携帯端末
１４０    インターネット
２１１、２２１、２３２    通信手段
２１２    ユーザ情報データベース
２１３    情報配信端末データベース
２１４、２２３、２３４    検索手段
２１５    Ｗｅｂページ提供手段
２１６    情報制御手段
２２２、２３６    接続情報データベース
２２４、２３５    ブルートゥース接続制御手段
２２５    コンテンツ情報
２３１    表示手段
３１０    アンテナ
３１１    無線通信部
３１２    ベースバンド部
４００    情報配信端末名
４０１    コンテンツジャンル名
４０２    地域名
４０３    情報配信端末ブルートゥースアドレス
４１１    ユーザ名
４１２    ユーザ端末ブルートゥースアドレス
４１３    ピンコード
５０３、６０３    リンクキー
【図１】
2005197880.tif 000003
【図２】
2005197880.tif 000004
【図３】
2005197880.tif 000005
【図４】
2005197880.tif 000006
【図５】
2005197880.tif 000007
【図６】
2005197880.tif 000008
【図７】
2005197880.tif 000009
【図８】
2005197880.tif 000010
【図９】
2005197880.tif 000011